(57)【要約】      （修正有）【課題】マウントアングルの標準位置からの容易な移動を可能にし、且つ枠体や補強部材によって作業を阻害されることのない電気機器収納筐体を提供する。【解決手段】枠体３と、枠体３に取付手段によって取り付けられるマウントアングルとからなり、マウントアングルは左右に配置されると共に機器の搭載が可能な右フレーム６及び左フレーム７と、右フレーム６及び左フレーム７の上端又は下端、若しくは上端及び下端に固定手段によって固定される上フレーム又は下フレーム５、若しくは上フレーム及び下フレーム５とからなり、長孔９又は切欠部を設けることによりマウントアングルの取り付けを容易にした。【選択図】図５
2011216654.tif 000002
【特許請求の範囲】
【請求項１】
枠体と、該枠体に取付手段によって取り付けられるマウントアングルとからなり、該マウントアングルは左右に配置されると共に機器の搭載が可能な右フレーム及び左フレームと、該右フレーム及び前記左フレームの上端又は下端、若しくは上端及び下端に固定手段によって固定される前記上フレーム又は前記下フレーム、若しくは前記上フレーム及び前記下フレームとからなることを特徴とする電気機器収納筐体。
【請求項２】
前記取付手段において、前記上フレームの、前記枠体への取付面に長孔を設け、該長孔によって前記マウントアングルを取り付けた際のマウントアングルの位置調整を行えることを特徴とした請求項１に記載の電気機器収納筐体。
【請求項３】
前記取付手段において、前記枠体の、前記上フレーム又は前記下フレーム、若しくは前記上フレーム及び前記下フレームとの取付面に切欠部を設け、前記マウントアングルに引掛部を設けて前記切欠部への嵌合を可能とすることにより、前記マウントアングルの一時的な設置を可能としたことを特徴とする請求項１及び請求項２に記載の電気機器収納筐体。
【発明の詳細な説明】
【技術分野】
【０００１】
本発明は、電気機器収納筐体内部、特に電気機器の搭載に用いるマウントアングルに関するものである。
【背景技術】
【０００２】
従来、電気機器収納筐体内部には特許文献１の図５において示されているような、４本の柱と底板、天板とで本体を構成し、柱に機器取付用のフレームを取り付けるためのサイドレールを移動可能に取り付けたものがある。
【先行技術文献】
【特許文献】
【０００３】
【特許文献１】特開２００２−３６８４６４号公報
【発明の概要】
【発明が解決しようとする課題】
【０００４】
しかし、特許文献１に記載されているようなマウントアングルには、マウントアングルが電気機器収納筐体の左右及び前後で独立しており、搭載する機器に合わせた位置の調整をマウントアングルごとに行うこととなるため、作業効率が低下する恐れがあるという欠点がある。
【０００５】
又、電気機器収納筐体の設置後における機器の搭載や配線作業は限られた電気機器収納筐体内のスペースで行うこととなるため、電気機器収納筐体を構成する柱や補強部材等が作業を阻害し、多くの労力がかかる恐れがあるという欠点がある。
【０００６】
又、搭載する機器に合わせて、配線スペースを確保するためにマウントアングルの位置を電気機器収納筐体の左右どちらかの側面に移動させると、マウントアングル下端が基台から浮くこととなり、安定しないという欠点がある。
【課題を解決するための手段】
【０００７】
上記した課題を解決するためになされた本発明の電気機器収納筐体は、枠体と、この枠体に取付手段によって取り付けられるマウントアングルとからなり、マウントアングルは左右に配置されると共に機器の搭載が可能な右フレーム及び左フレームと、右フレーム及び左フレームの上端又は下端、若しくは上端及び下端に固定手段によって固定される上フレーム又は下フレーム、若しくは上フレーム及び下フレームとからなる。
【発明の効果】
【０００８】
本発明の電気機器収納筐体によれば、上フレーム又は下フレーム、若しくは上フレーム及び下フレームにより左右のマウントアングルを一体に構成したため、マウントアングルの位置調整を左右同時に行うことが可能となることに加えて、必要となる配線スペースでの調整を行うことが可能となり、作業効率の向上を図ることが可能となる。又、上フレーム又は下フレーム、若しくは上フレーム及び下フレームにより左右のマウントアングルを一体に構成したことにより機器を取り付けた状態で電気機器収納筐体内に収納できるため、電気機器収納筐体内の枠体や補強部材によって作業を阻害される恐れをなくし、機器の搭載を容易に行うことが可能となる。
【０００９】
又、上フレーム又は下フレーム、若しくは上フレーム及び下フレームにより左右のマウントマングルを一体に構成したことにより、配線スペースを確保するためにマウントアングルを移動させた場合であっても、左右どちらかのマウントアングルの下端が基台に乗るため、安定して取り付けを行うことが可能となる。
【図面の簡単な説明】
【００１０】
【図１】図１は本発明の実施例１における、電気機器収納筐体の全体斜視図である。
【図２】図２は本発明の実施例１における、マウントアングルの斜視図である。
【図３】図３は図１をＸ−Ｘで切った際の断面図であり、（Ａ）はマウントアングルを標準位置に取り付けた図であり、（Ｂ）はマウントアングルを片側へ寄せた位置に取り付けた図である。
【図４】図４は本発明の実施例１における、機器を取り付けた状態のマウントアングルの斜視図である。
【図５】図５は本発明の実施例２における、上フレームに長孔を設けたマウントアングルを内側から見たの上面図である。
【図６】図６は図５における、Ｐ部の拡大図である。
【図７】図７は本発明の実施例３における、切欠部を設けた枠体の斜視図である。
【図８】図８は図７におけるＱ部の拡大図であり、（Ａ）は矢視Ａから見た斜視図であり、（Ｂ）は矢視Ｂから見た斜視図である。
【図９】図９は従来技術における、マウントアングルを片側へ寄せた位置に取り付けた際の斜視図である。
【図１０】図１０は図９における、Ｒ部の拡大斜視図である。
【発明を実施するための形態】
【００１１】
本発明では、マウントアングルの左右のフレームを、上フレームや下フレームを用いて一体に構成したため、電気機器収納筐体内において標準位置から左右への容易な移動を可能とした。
【実施例１】
【００１２】
枠体３と、この枠体３に取付手段によって取り付けられるマウントアングルとからなり、マウントアングルは電気機器収納筐体１内部に左右に配置されると共に機器の搭載が可能な右フレーム６及び左フレーム７と、右フレーム６及び左フレーム７の上端及び下端に固定手段によって固定される上フレーム４及び下フレーム５とからなる。電気機器収納筐体１内部の前後において、右フレーム６及び左フレーム７の、それぞれの上端及び下端に固定手段によって上フレーム４及び下フレーム５を固定し、マウントアングルを略ロ字状に構成して枠体３に取り付ける。
【００１３】
これにより、マウントアングルの位置調整を左右同時に行うことが可能となり、作業効率の向上を図ることが可能である。又、右フレーム６及び左フレーム７が上フレーム４及び下フレーム５によって一体に構成されているため、機器８を取り付けた状態で電気機器収納筐体１への収納が可能である。又、電気機器収納筐体１の枠体３や補強部材によって作業を阻害される恐れをなくし、機器８の搭載を容易に行うことが可能である。又、配線スペースを確保するためにマウントアングルを電気機器収納筐体１内で左右どちらかに移動させる場合であっても、下フレーム５が基台２に乗るため右フレーム６及び左フレーム７のぐらつきを防ぐことが可能であり、安定した取り付けを行うことが可能である。
【実施例２】
【００１４】
枠体３と、この枠体３に取付手段によって取り付けられるマウントアングルとからなり、マウントアングルは電気機器収納筐体１内部に左右に配置されると共に機器の搭載が可能な右フレーム６及び左フレーム７と、右フレーム６及び左フレーム７の上端及び下端に固定手段によって固定される上フレーム４及び下フレーム５とからなる。電気機器収納筐体１内部の前後において、右フレーム６及び左フレーム７の、それぞれの上端及び下端に固定手段によって上フレーム４及び下フレーム５を固定し、マウントアングルを略ロ字状に構成して枠体３に取り付ける。マウントアングルの取付手段は、上フレーム４の、枠体３への取付面に長孔９を設け、長孔９によってマウントアングルを取り付ける。
【００１５】
これにより、マウントアングルの位置調整を左右同時に行うことが可能となり、作業効率の向上を図ることが可能である。又、右フレーム６及び左フレーム７が上フレーム４及び下フレーム５によって一体に構成されているため、機器８を取り付けた状態で電気機器収納筐体１への収納が可能である。又、電気機器収納筐体１の枠体３や補強部材によって作業を阻害される恐れをなくし、機器８の搭載を容易に行うことが可能である。又、配線スペースを確保するためにマウントアングルを電気機器収納筐体１内で左右どちらかに移動させる場合であっても、下フレーム５が基台２に乗るため右フレーム６及び左フレーム７のぐらつきを防ぐことが可能であり、安定した取り付けを行うことが可能である。又、上フレーム４の、枠体３への取付面に長孔９を設けたため、仮止めによるマウントアングルの位置調整を容易に行うことが可能である。
【実施例３】
【００１６】
枠体３と、この枠体３に取付手段によって取り付けられるマウントアングルとからなり、マウントアングルは電気機器収納筐体１内部に左右に配置されると共に機器の搭載が可能な右フレーム６及び左フレーム７と、右フレーム６及び左フレーム７の上端及び下端に固定手段によって固定される上フレーム４及び下フレーム５とからなる。電気機器収納筐体１内部の前後において、右フレーム６及び左フレーム７の、それぞれの上端及び下端に固定手段によって上フレーム４及び下フレーム５を固定し、マウントアングルを略ロ字状に構成して枠体３に取り付ける。マウントアングルの取付手段は、枠体３の、上フレーム４又は下フレーム５、若しくは上フレーム４及び下フレーム５との取付面に切欠部１０を設け、マウントアングルの、切欠部１０に嵌合する位置にボルトを仮止めしておき、マウントアングルを枠体３に取り付ける際にはボルトを切欠部１０に嵌合させてからボルトを締めて固定させる。
【００１７】
これにより、マウントアングルの位置調整を左右同時に行うことが可能となり、作業効率の向上を図ることが可能である。又、右フレーム６及び左フレーム７が上フレーム４及び下フレーム５によって一体に構成されているため、機器８を取り付けた状態で電気機器収納筐体１に収納が可能である。又、電気機器収納筐体１の枠体３や補強部材によって作業を阻害される恐れをなくし、機器８の搭載を容易に行うことが可能である。又、配線スペースを確保するためにマウントアングルを電気機器収納筐体１内で左右どちらかに移動させる場合であっても、下フレーム５が基台２に乗るため右フレーム６及び左フレーム７のぐらつきを防ぐことが可能であり、安定した取り付けを行うことが可能である。又、枠体３に切欠部を設けることにより、マウントアングルの取り付けを容易に行うことが可能であり、切欠部１０を長く設けることにより、一旦切欠部１０に嵌合させてからマウントアングルの位置を調整させることが可能である。
【００１８】
なお、左右フレームの上下フレームとの組み合わせは、本実施例における上下フレームを共に用いるものに限定されるものではなく、本発明の趣旨を変更しない範囲で適宜変更可能である。又、マウントアングルの取付手段は本発明における長孔や切欠部によるものに限定されるものではなく、本発明の趣旨を変更しない範囲で適宜変更可能である。
【産業上の利用可能性】
【００１９】
マウントアングルを一体に設けたため、左右のマウントアングルを同時に移動させることができ、機器からの配線に要するスペースでの調整を容易に行うことが可能となり、又、マウントアングルに機器を搭載してから枠体へ取り付けることができるため、機器の搭載や配線時の作業に必要となるスペースを確保でき、作業効率の向上を図ることが可能となる。
【符号の説明】
【００２０】
１、１１    電気機器収納筐体
２    基台
３    枠体
４    上フレーム
５    下フレーム
６、１６    右フレーム
７、１７    左フレーム
８    機器
９    長孔
１０    切欠部
【図１】
2011216654.tif 000003
【図２】
2011216654.tif 000004
【図３】
2011216654.tif 000005
【図４】
2011216654.tif 000006
【図５】
2011216654.tif 000007
【図６】
2011216654.tif 000008
【図７】
2011216654.tif 000009
【図８】
2011216654.tif 000010
【図９】
2011216654.tif 000011
【図１０】
2011216654.tif 000012